(57)【要約】【課題】付勢部材による騒音を抑制する電池室ユニットを提供すること。【解決手段】電池を収容する電池室（１１０）と、前記電池室（１１０）の開口を開閉する蓋（２００）と、前記蓋（２００）を回動可能に支持する軸（２０５）と、前記電池が前記電池室（１１０）から排出されることを規制するロック部材（２０２）と、を有し、前記ロック部材（２０２）をロック位置へ付勢し、さらに前記蓋（２００）を開き方向へも付勢する付勢部材（２０４）を備え、前記付勢部材（２０４）の両端の内径が異なることを特徴とする。【選択図】図２
2017032617.tif 000002
【特許請求の範囲】
【請求項１】
電池を収容する電池室（１１０）と、
前記電池室（１１０）の開口を開閉する蓋（２００）と、
前記蓋（２００）を回動可能に支持する軸（２０５）と、
前記電池が前記電池室（１１０）から排出されることを規制するロック部材（２０２）と、を有し、
前記ロック部材（２０２）をロック位置へ付勢し、さらに前記蓋（２００）を開き方向へも付勢する付勢部材（２０４）を備え、前記付勢部材（２０４）の両端の内径が異なることを特徴とする電子機器。
【請求項２】
前記付勢部材（２０４）の片側端は前記ロック部材（２０２）にガイドされ、他端は前記軸（２０５）にガイドされることを特徴とする請求項１に記載の電子機器。
【請求項３】
前記付勢部材（２０４）の第２の端部（２０４ｅ）において複数巻に分けて内径が変化し、密着状態においてはそれぞれの巻き線がラジアル方向で非干渉状態となることを特徴とする請求項１又は請求項２に記載の電子機器。
【発明の詳細な説明】
【技術分野】
【０００１】
本発明は、電池収納部が設けられた電子機器に関し、特に電池室ユニットの騒音防止に関する。
【背景技術】
【０００２】
デジタルカメラなどの携帯可能な電子機器には電源として電池が搭載されており、その電池が取り外し可能な機器の場合、電池を挿脱可能に収納できる電池室を備えている。電池室には電池を挿脱可能にする電池挿脱口が形成され、その電池挿脱口には開閉自在な電池蓋の開閉機構を有し、電池の意図しない落下を防ぐ電池の挿脱ロック機構を有するものがある。電池蓋の開閉機構と電池の挿脱ロック機構の一つとして、圧縮ばねの機能を有するトーションばね（以下、圧縮トーションばね）を用いてこれら機構を一体化した構成がある。これは圧縮トーションばねと電池の挿脱ロック機構を電池蓋の回転軸にレイアウトすることでトーション荷重による電池蓋の開閉・圧縮荷重による電池の挿脱ロックを行うものである。
【０００３】
圧縮トーションばねを用いる機構として、特許文献１に示すような機構がある。特許文献１には、トーションばねを圧縮した状態で保持し、カム機構により調整つまみの回転を圧縮ばねの圧縮方向への移動に変換することで視度調整レンズをその光軸方向に移動させるファインダ装置の視度調整機構が開示されている。
【先行技術文献】
【特許文献】
【０００４】
【特許文献１】特開２００９−９８３２０号公報
【発明の概要】
【発明が解決しようとする課題】
【０００５】
しかしながら、特許文献１に開示されている圧縮トーションばねを用いる構成では、圧縮トーションばねの巻き線部分の内径面の片側端しかガイドされていないため、トーション荷重が発生した状態ではガイドされない側の巻き線が径方向に偏心する恐れがある。巻き線が偏心した状態で視度調整レンズを移動させると、視度調整レンズの巻き線をガイドする部分が巻き線と干渉し巻き線の偏心を矯正しながら移動するため騒音が発生する恐れがある。
【０００６】
そこで、本発明の目的は、ばねによる騒音を抑制する電池室ユニットを提供することにある。
【課題を解決するための手段】
【０００７】
上記の目的を達成するために、本発明に係る電子機器は、
電池を収容する電池室（１１０）と、
前記電池室（１１０）の開口を開閉する蓋（２００）と、
前記蓋（２００）を回動可能に支持する軸（２０５）と、
前記電池が前記電池室（１１０）から排出されることを規制するロック部材（２０２）と、を有し、
前記ロック部材（２０２）をロック位置へ付勢し、さらに前記蓋（２００）を開き方向へも付勢する付勢部材（２０４）を備え、前記付勢部材（２０４）の両端の内径が異なることを特徴とする。
【発明の効果】
【０００８】
本発明によれば、電池蓋開閉時やロック部材移動時の騒音を抑制した電子機器を提供することができる。
【図面の簡単な説明】
【０００９】
【図１】本発明の実施形態に係るデジタルカメラの外観を示す斜視図である。
【図２】本発明の実施形態に係る電池挿脱ロック機構及び電池蓋の構成を示す展開図及び断面図である。
【図３】本発明の実施形態に係るロック部材の回転規制を示す断面図である。
【図４】本発明の実施形態に係る電池挿脱ロック機構及び付勢手段の動作を示す断面図及び底面図である。
【図５】本発明の実施形態に係る電池蓋ユニットのヒンジ部及び付勢手段の動作を示す断面図である。
【発明を実施するための形態】
【００１０】
以下に、本発明の好ましい実施の形態を、添付の図面に基づいて詳細に説明する。ここでは、本発明に係る電子機器として、撮像装置の一例であるデジタルカメラを取り上げることとするが、本発明はこれに限定されるものではない。
【００１１】
図１は本発明の実施形態に係るデジタルカメラの外観を示す斜視図である。図１（ａ）はデジタルカメラを斜め正面上方から見た外観斜視図であり、図１（ｂ）はデジタルカメラを斜め背面下方から見た外観斜視図であり、図１（ｃ）は電池蓋２００が開いた状態を示す斜視図である。
【００１２】
図１（ａ）に示すように、デジタルカメラ１００のカメラ本体１０１の正面部１には、被写体の光線をデジタルデータに変換する沈胴式の鏡筒部及び撮像素子を備える撮像ユニット１０２が設けられている。また、カメラ本体１０１の上面部２には、各種撮影モードを切り替えるモードダイヤル１０３と電源のオン／オフ状態を切り替える電源ボタン１０４と撮影を行うレリーズボタン１０５が配置されている。
【００１３】
デジタルカメラ１００に不図示の電池３００が装着され電源が供給可能な状態において、ユーザーが電源ボタン１０４を押下すると電源オン状態となり、撮像ユニット１０２の沈胴式の鏡筒部が繰り出される。再度、ユーザーが電源ボタン１０４を押下すると沈胴式の鏡筒部が繰り込まれてカメラ本体１０１に収納され電源オフ状態になる。
【００１４】
電源オン状態で、ユーザーがレリーズボタン１０５を半押しすると、撮影準備動作（焦点検出動作および測光動作）が開始され、全押しすると撮影することができる。また、電源オン状態でモードダイヤル１０３を回転させるとマニュアルモード、シャッタースピード優先モード、絞り優先モード、動画撮影モード、ナイトモード等といった、各種撮影モードを切り替えることができる。
【００１５】
図１（ｂ）に示すように、カメラ本体１０１の背面部３にはタッチパネル式の表示部１０７が設けられており、電源オン状態において表示部１０７には撮像ユニット１０２から出力される被写体像がリアルタイムで映される。また、シャッタースピードや絞り値等の各種撮影パラメータの設定メニュー等が表示され、撮影画像及び動画を再生するモードでは不図示の外部記録媒体３０１（ＳＤカード）に記録された撮影画像及び動画が表示される。ユーザーは、表示部１０７に隣接して配置される操作ボタン１０６、タッチパネル式の表示部１０７を操作することにより、画像の選択、パラメータの設定などが可能となる。
【００１６】
図１（ｂ）、（ｃ）に示すように、カメラ本体１０１の底面部４には電池収納部１１０ａを覆う電池蓋２００が設けられ、電池蓋２００はカメラ本体１０１に対し回動可能に取り付けられる。なお、本実施形態では電池蓋２００を開いた状態において、電池３００だけでなく不図示の外部記録媒体３０１（ＳＤカード）も脱着可能となっている。
【００１７】
図２（ａ）、図２（ｂ）は、本発明の実施形態に係る電池挿脱ロック機構及び電池蓋の構成を示す展開図及び断面図である。なお、図２（ｂ）は図１（ｃ）に示すＢ部分の断面図である。以下で、電池蓋ユニットの構成について説明する。
【００１８】
電池蓋２００は本体の外観面の一部を兼ね電池収容部１１０ａの開口を覆う部材である。板金部材２０３は電池室１１０に保持される軸２０５に係合し、また、板金部材２０３と電池蓋２００はビス２０６により固定されるため、電池蓋２００は回動可能となる。カメラの小型化により、電池蓋２００は薄くなる傾向にあり、不図示の電池３００の保持や電池蓋２００の剛性確保のために板金部材２０３は極力頑丈な方が望ましい。
【００１９】
操作部材２０１は電池蓋２００と板金部材２０３の間の空間に収納され、外観側から操作可能に露出する。操作部材２０１は電池蓋２００と板金部材２０３に挟まれることで、電池蓋２００の平面上での平行移動のみ可能となるよう規制され、さらに板金部材２０３の２つの壁部２０３ｃにより矢印Ｘの１方向のみのスライド操作が可能となるように規制される。操作部材２０１には爪部２０１ｂが備えられ、爪部２０１ｂは電池蓋２００が閉じた状態における操作部材２０１のスライド操作により電池室１１０の穴部１１０ｂに挿脱され、穴部１１０ｂに挿入される際に電池蓋ユニットが開くことを規制する。
【００２０】
ロック部材２０２は電池収容部１１０ａに収納される不図示の電池３００の取出し方向の移動を規制する部材である。ロック部材２０２は軸２０５をガイドとしてスライド可能なように取り付けられ、ロック部材２０２はシャフト２０５を中心に回転することが無いよう、不図示の回転規制部２０２ｂを備えている。
【００２１】
付勢部材２０４は圧縮ばねとして円筒コイル部２０４ｃ、トーションばねとして円筒コイル部２０４ｃの両端に固定腕２０４ａと可動腕２０４ｂを備えている。円筒コイル部２０４は軸方向に圧縮し作用することでロック部材２０２を電池挿脱ロック位置に付勢している。固定腕２０４ａはロック部材２０２に当接し、可動腕２０４ｂは電池蓋２００に当接することで電池蓋２００を開き方向に付勢している。
【００２２】
円筒コイル部２０４ｃは密着状態ではなく所定の巻き数と長さで巻かれており、円筒コイル部２０４ｃの第１の端部２０４ｄはロック部材２０２の筒状部２０２ｄにガイドされ、第２の端部２０４ｅは軸２０５にガイドされる。つまり、円筒コイル部２０４ｃの両端部の内径は異なっており、ロック部材２０２の筒状部２０２ｄでガイドされない円筒コイル部２０４ｃは軸２０５によりガイドされるため偏心が抑えられる。また、円筒コイル部２０４ｃの第２の端部２０４ｅは複数巻に分けて内径が変化しており、密着状態において巻き線は干渉しない。なお、ばねの内径は円筒コイル部２０４ｃの第２の端部２０４ｅを除く部分での変化はなく、第２の端部２０４ｅのみで変化する。
【００２３】
図３は本発明の実施形態に係るロック部材の回転規制を示す断面図である。この断面図は図１（ｂ）に示すＡ部分の断面図である。
【００２４】
ロック部材２０２には軸２０５を中心とする回転を規制するために第１の規制リブ２０２ｂ、第２の規制リブ２０２ｃが設けられている。図中の時計回り方向の回転は、第１の規制リブ２０２ｂの第１の規制面２０２ｂ１と電池室１１０に設けられた溝１１０ｃの第１の規制面１１０ｃ１が当接することで規制される。図中の反時計回りの回転は、第２の規制リブ２０２ｃと電池室１１０に設けられた床面１１０ｄが当接することで規制される。
【００２５】
図４は本発明の実施形態に係る電池挿脱ロック機構及び付勢手段の動作を示す断面図及び底面図である。電池蓋ユニット開状態での電池挿脱ロック状態を示しているのが図４（ａ）、図４（ｂ）であり、電池蓋ユニット開状態での電池挿脱ロック解除状態を示しているのが図４（ｃ）、図４（ｄ）である。なお、図４（ｂ）は図４（ａ）に示すＣ部分の断面図であり、図４（ｄ）は図４（ｃ）に示すＤ部分の断面図である。
【００２６】
図４（ａ）、図４（ｂ）に示すように、電池挿脱ロック状態では電池３００の底面部にロック先端部２０２ａが掛かっており、電池３００は取出し方向に移動しないように規制される。この際、付勢部材２０４はやや圧縮された状態で保持されており、ロック部材２０２は不用意にスライドしない程度に付勢されている。ロック部材２０２は第１の規制リブ２０２ｂと電池室１１０の溝１１０ｃのそれぞれの１面が付き当たることで電池挿脱ロック状態の位置に保持される。
【００２７】
図４（ｃ）、図４（ｄ）に示すように、電池挿脱ロック解除状態ではロック先端部２０２ａが電池３００の底面部の投影範囲から退避している。電池３００は図示しない電池排出ばねにより取出し方向に付勢され、取出し可能な位置まで電池収容部１１０ａから突出する。このとき、付勢部材２０４は最も圧縮されている状態でユーザーの指により操作可能な荷重に設定されている。ロック部材２０２の解除位置までの移動量は、ロック部材２０２の第１の規制リブ２０２ｂの第２の規制面２０２ｂ２と電池室１１０の溝１１０ｃの第２の規制面１１０ｃ２が突き当たることで決まる。また、ロック部材２０２の退避位置は軸２０５と電池３００の底面の投影範囲及び外部記録媒体３０１（ＳＤカード）を配置した際の空いているスペースを有効活用しており、本構成では本体１０１の高さ方向に対しても使用空間が少なく省スペース化を実現している。
【００２８】
図５は本発明の実施形態に係る電池蓋ユニットのヒンジ部及び付勢手段の動作を示す断面図である。図５（ｂ）は図５（ａ）に示すＥ部分における電池蓋ユニットが開いた状態での断面図を示し、図５（ｃ）は図５（ａ）に示すＥ部分における電池蓋ユニットが閉じた状態での断面図を示す。
【００２９】
図５（ｂ）に示すように、電池蓋２００が開いた状態では付勢部材２０４の可動腕２０４ｂはねじり方向にややチャージされており電池蓋２００が開ききる荷重で電池蓋２００を付勢している。付勢部材２０４の可動腕２０４ｂは図５（ｂ）及び図２に図示している電池蓋２００の突起形状２００ａにより保持される。電池蓋２００と板金部材２０３の回転中心と付勢部材２０４、ロック部材２０２及び軸２０５はすべて同軸上にあり、電池蓋２００の回動に対し効率よく力が伝えられるようになっている。
【００３０】
図５（ｃ）に示すように、電池蓋２００が閉じている状態では付勢部材２０４の可動腕２０４ｂはねじり方向に最もチャージされた状態になる。
【００３１】
以上、本発明の好ましい実施形態について説明したが、本発明はこれらの実施形態に限定されず、その要旨の範囲内で種々の変更が可能であり、デジタルカメラに限らず、電池収容部と回動式の電池蓋を備える種々の電子機器に適応可能である。
【符号の説明】
【００３２】
１０１  カメラ本体、１１０  電池室、１１０ａ  電池収容部、２００  電池蓋、
２０１  操作部材、２０２  ロック部材、２０３  板金部材、２０４  付勢部材、
２０５  軸、３００  電池
【図１】
2017032617.tif 000003
【図２】
2017032617.tif 000004
【図３】
2017032617.tif 000005
【図４】
2017032617.tif 000006
【図５】
2017032617.tif 000007